(57)【要約】【課題】フランジバック調整機構を設けることにより高精度なフランジバック長の調整ができる撮像装置を提供する。【解決手段】調整軸３０を回転させると、調整軸３０の回転がアイドルギア２８を介して回転移動筒２６に伝達される。回転移動筒２６は、回転力が加えられると、その内周部に形成された雌ネジ部５６と固定筒２２の外周に形成された雄ネジ部３８の作用で回転しながら光軸Ｌに沿って前後移動する。回転移動筒２６が前後移動すると、回転移動筒２６の連結部６０と溝５０を介して連結された直進移動筒２４が、回転移動筒２６と共に光軸Ｌに沿って前後移動する。そして、直進移動筒２４が前後移動することにより、直進移動筒２４に取り付けられたＣＣＤ１８が光軸Ｌに沿って前後移動し、フランジバック長の調整が可能になる。【選択図】      図２
2005354220.tif 000002
【特許請求の範囲】
【請求項１】
装置本体に設けられたレンズマウントにレンズが着脱自在に取り付けられ、該レンズを通した光を固体撮像素子で受光する撮像装置において、
前記装置本体に固定された固定筒と、
先端部が前記固定筒に嵌入されて、光軸に沿って直進移動する直進移動筒と、
前記直進移動筒に設けられ、前記固体撮像素子を保持する固体撮像素子保持部材と、
内周部に形成された雌ネジ部が、前記固定筒の外周に形成された雄ネジ部に螺合されて、回転しながら光軸に沿って前後移動する回転移動筒と、
前記回転移動筒の外周部に形成された従動ギア部に連結された駆動ギア部を有する調整軸と、
前記回転移動筒に設けられ、前記直進移動筒の外周部に形成された溝部に嵌合して、前記回転移動筒と前記直進移動筒とを連結する連結部と、
前記連結部と前記溝の一方側の内壁面との間に介在され、前記連結部を前記溝の他方側の内壁面に押し当てることにより、前記連結部と前記溝との間のガタを取り除く第１付勢部材と、
前記固定筒と前記直進移動筒との間に介在され、前記固定筒に対して前記直進移動筒を光軸に沿って後方に付勢することにより、前記雌ネジ部と前記雄ネジ部との間のバックラッシを取り除く第２付勢部材と、
を備え、前記調整軸の回転を前記駆動ギア部と前記従動ギア部とを介して前記回転移動筒に伝達し、前記回転移動筒を回転させながら光軸に沿って移動させることにより、前記溝と前記連結部を介して前記直進移動筒を前記回転移動筒とともに光軸に沿って直進移動させて、前記固体撮像素子の位置を調整することを特徴とする撮像装置。
【請求項２】
前記固定筒、前記直進移動筒、前記固体撮像素子保持部材、前記回転移動筒に熱膨張係数の小さい材質を用いたことを特徴とする請求項１に記載の撮像装置。
【請求項３】
前記従動ギア部と前記駆動ギア部は、アイドルギアを介して連結され、該アイドルギアは、同軸上に配置された一組のギアを回転付勢部材で連結してなり、該回転付勢部材で前記一組のギアを互いに逆方向に付勢することにより、前記従動ギア部及び前記駆動ギア部との間のバックラッシを取り除くことを特徴とする請求項１又は２に記載の撮像装置。
【請求項４】
前記固体撮像素子から出力される信号のブラックレベル調整をするために前記固体撮像素子に入射する光を遮光するシャッタ手段を取り付けたことを特徴とする請求項１、２又は３に記載の撮像装置。
【発明の詳細な説明】
【技術分野】
【０００１】
本発明は撮像装置に係り、特にレンズ交換に伴うフランジバック長の調整機構を備えた撮像装置に関する。
【背景技術】
【０００２】
一般に映画撮影において、カメラマンは、カメラを使う前に本番撮影と同じ機器構成でテストを行い、レンズの距離指標の校正を行う。カメラマンは、この校正された距離指標を基準に本番撮影を行う。この際、もともとのカメラのフランジバック長が正確でないと、レンズが所定の性能を発揮しない。
【０００３】
従来は、カメラを製造する際、フランジバック長は、基準レンズを使って決められた長さに固定されていた。このため、使用するレンズと基準レンズとの間に差分が存在する場合やレンズの都合等でフランジバック長を変える必要が生じた場合などに、カメラ側で対処できないという問題があった。
【０００４】
そこで、特許文献１では、カメラ側にフランジバック調整機構を持たせることが提案されている。この特許文献１のフランジバック調整機構は、固体撮像素子がマウントされたホルダを一対のガイドロッドによって前後移動自在に支持し、圧縮コイルバネで押圧付勢して、光学レンズマウント用の貫通ネジ孔に螺合された調整リングに押し当てたものであり、調整リングを回転させることによって、固体撮像素子を前後移動させて、フランジバック調整するものである。
【特許文献１】特開平６−７８１９０号公報
【発明の開示】
【発明が解決しようとする課題】
【０００５】
しかしながら、従来のフランジバック調整機構は、単にガイドロッドによって移動自在に支持されたホルダを圧縮コイルバネで調整リングに押圧付勢しているだけの構成であるため、高精度な調整ができないという欠点があった。
【０００６】
本発明は、このような事情に鑑みてなされたもので、高精度なフランジバック長の調整ができる撮像装置を提供することを目的とする。
【課題を解決するための手段】
【０００７】
請求項１に係る発明は、前記目的を達成するために、装置本体に設けられたレンズマウントにレンズが着脱自在に取り付けられ、該レンズを通した光を固体撮像素子で受光する撮像装置において、前記装置本体に固定された固定筒と、先端部が前記固定筒に嵌入されて、光軸に沿って直進移動する直進移動筒と、前記直進移動筒に設けられ、前記固体撮像素子を保持する固体撮像素子保持部材と、内周部に形成された雌ネジ部が、前記固定筒の外周に形成された雄ネジ部に螺合されて、回転しながら光軸に沿って前後移動する回転移動筒と、前記回転移動筒の外周部に形成された従動ギア部に連結された駆動ギア部を有する調整軸と、前記回転移動筒に設けられ、前記直進移動筒の外周部に形成された溝部に嵌合して、前記回転移動筒と前記直進移動筒とを連結する連結部と、前記連結部と前記溝の一方側の内壁面との間に介在され、前記連結部を前記溝の他方側の内壁面に押し当てることにより、前記連結部と前記溝との間のガタを取り除く第１付勢部材と、前記固定筒と前記直進移動筒との間に介在され、前記固定筒に対して前記直進移動筒を光軸に沿って後方に付勢することにより、前記雌ネジ部と前記雄ネジ部との間のバックラッシを取り除く第２付勢部材と、を備え、前記調整軸の回転を前記駆動ギア部と前記従動ギア部とを介して前記回転移動筒に伝達し、前記回転移動筒を回転させながら光軸に沿って移動させることにより、前記溝と前記連結部を介して前記直進移動筒を前記回転移動筒とともに光軸に沿って直進移動させて、前記固体撮像素子の位置を調整することを特徴とする撮像装置を提供する。
【０００８】
本発明によれば、調整軸を回転させると、その調整軸の回転が駆動ギア部から従動ギア部に伝達されて、回転移動筒が回転する。回転移動筒は、回転力が加えられると、その内周部に形成された雌ネジ部と固定筒の外周に形成された雄ネジ部との作用で回転しながら光軸に沿って前後移動する。そして、この回転移動筒が光軸に沿って前後移動することにより、回転移動筒に設けられた連結部と溝部を介して連結された直進移動筒が、回転移動筒とともに光軸に沿って前後移動する。この結果、直進移動筒に固体撮像素子保持部材を介して取り付けられた固体撮像素子が、光軸に沿って前後移動し、フランジバック長の調整が可能になる。
【０００９】
また、請求項２に係る発明は、前記目的を達成するために、前記固定筒、前記直進移動筒、前記固体撮像素子保持部材、前記回転移動筒に熱膨張係数の小さい材質を用いたことを特徴とする請求項１に記載の撮像装置を提供する。
【００１０】
本発明によれば、各構成要素に熱膨張係数の小さい材質を用いることにより、使用環境の温度変化に影響を受けずに高精度なフランジバック長の調整が可能になる。
【００１１】
また、請求項３に係る発明は、前記目的を達成するために、前記従動ギア部と前記駆動ギア部は、アイドルギアを介して連結され、該アイドルギアは、同軸上に配置された一組のギアを回転付勢部材で連結してなり、該回転付勢部材で前記一組のギアを互いに逆方向に付勢することにより、前記従動ギア部及び前記駆動ギア部との間のバックラッシを取り除くことを特徴とする請求項１又は２に記載の撮像装置を提供する。
【００１２】
本発明によれば、回転移動筒の従動ギア部と調整軸の駆動ギア部との間をアイドルギアで連結し、互いの連結部に生じるバックラッシを取り除くことにより、更なる高精度なフランジバック長の調整が可能になる。
【００１３】
また、請求項４に係る発明は、前記目的を達成するために、前記固体撮像素子から出力される信号のブラックレベル調整をするために前記固体撮像素子に入射する光を遮光するシャッタ手段を取り付けたことを特徴とする請求項１、２又は３に記載の撮像装置を提供する。
【００１４】
本発明によれば、固体撮像素子に入射する光を遮光するシャッタ手段を取り付けることにより、固体撮像素子から出力される信号のブラックレベル調整を容易に行うことができる。
【発明の効果】
【００１５】
本発明に係る撮像装置によれば、フランジバック長の調整を高精度に行うことができる。
【発明を実施するための最良の形態】
【００１６】
以下、添付図面に従って本発明に係る撮像装置を実施するための最良の形態について詳説する。
【００１７】
図１は、本発明に係る撮像装置の一実施形態を示す側面部分断面図である。この撮像装置１０は、映画撮影用の撮像装置であって、そのカメラフレーム（装置本体）１２の正面に備えられたレンズマウント１４に映画撮影用のレンズ１６を装着して使用される。撮影は固体撮像素子（本実施の形態ではＣＣＤ）１８にて行われ、ＣＣＤ１８は、フランジバック長の調整ができるように、フランジバック調整機構２０によって前後移動可能に設けられている。
【００１８】
図２は、フランジバック調整機構の構成を示す側面断面図である。同図に示すように、フランジバック調整機構２０は、主として固定筒２２、直進移動筒２４、回転移動筒２６、アイドルギア２８、調整軸３０、ＣＣＤ受け３２で構成されている。
【００１９】
固定筒２２は、先端外周部に第１フランジ部３４が形成されており、この第１フランジ部３４を図示しないボルトでカメラフレーム１２にボルト止めすることにより、カメラフレーム１２に固定されている。また、この固定筒２２の基端部外周には第２フランジ部３６が形成されており、その外周には雄ネジ部３８が形成されている。
【００２０】
直進移動筒２４は、先端部に固定筒２２の内径とほぼ同じ外径の先端嵌合部４０を有しており、その先端嵌合部４０が固定筒２２の内周部に嵌入されて、光軸Ｌに沿って前後移動自在に設けられている。先端嵌合部４０の外周には、光軸Ｌに沿って直進溝４２が形成されており、直進溝４２には、固定筒２２に設けられたガイドピン４４が嵌入されている。直進移動筒２４は、このガイドピン４４と直進溝４２との作用によって、周方向の回転が規制されながら、光軸Ｌに沿って前後移動する。
【００２１】
また、この直進移動筒２４の外周には、外側フランジ部４６が形成されるとともに、押圧リング４８が取り付けられて、所定の幅の溝５０が形成されている。押圧リング４８は、その内周部に形成された雌ネジ部５２を直進移動筒２４の基端部外周に形成された雄ネジ部５４に螺合させることにより、直進移動筒２４に取り付けられており、この直進移動筒２４に取り付けられた押圧リング４８と外側フランジ部４６との間に所定の幅を有する溝５０が形成される。
【００２２】
回転移動筒２６は、先端内周部に雌ネジ部５６が形成されている。この雌ネジ部５６は、固定筒２２の第２フランジ部３６に形成された雄ネジ部３８に螺合されている。回転移動筒２６は、回転されることにより、この雄ネジ部３８と雌ネジ部５６との作用によって回転しながら光軸Ｌに沿って前後移動する。
【００２３】
また、この回転移動筒２６の先端外周には、従動ギア部５８が形成されており、基端部には連結部６０が形成されている。連結部６０は、直進移動筒２４に形成された溝５０とほぼ同じ幅をもって形成されており、溝５０に嵌合されている。また、この連結部６０の後端面には、周方向に沿ってバネ収容溝６２が形成されており、そのバネ収容溝６２には、バネ６４が収容されている。バネ６４は、連結部６０と押圧リング４８との間で伸張し、連結部６０の先端面を外側フランジ部４６の後端面（溝５０の前側の内壁面）に押し当てて、外側フランジ部４６と押圧リング４８との間の溝５０に嵌合された連結部６０のガタを吸収する。
【００２４】
アイドルギア２８は、固定筒２２の第１フランジ部３４に光軸Ｌと平行に取り付けられた回転軸６６に回動自在に支持されており、回転移動筒２６に形成された従動ギア部５８に噛み合わされている。このアイドルギア２８は、同じ構成の一対のギア２８Ａ、２８Ｂを同軸上に重ね合わせて構成されており、互いに捩りバネ６８で連結されて、それぞれ逆方向に回転するように付勢されている。この捩りバネ６８は、各ギア２８Ａ、２８Ｂの接合面に形成されたバネ収容溝７０Ａ、７０Ｂに収容されており、そのバネ収容溝７０Ａ、７０Ｂに形成された係止穴７２Ａ、７２Ｂに両端の鉤部６８Ａ、６８Ｂが係合されて、各ギア２８Ａ、２８Ｂに連結されている。
【００２５】
調整軸３０は、光軸Ｌと平行に設けられており、固定筒２２の第１フランジ部３４に取り付けられたブッシュ７４に回動自在に支持されている。この調整軸３０の先端は、カメラフレーム１２の正面に形成された貫通穴７６に嵌入されており、その先端面には六角穴７８が形成されている。調整軸３０は、この六角穴７８に六角レンチを嵌め合わせて回転させる。
【００２６】
また、この調整軸３０の基端部には、駆動ギア部８０が形成されており、駆動ギア部８０はアイドルギア２８に噛み合わされている。これにより、調整軸３０を回転させると、その回転が駆動ギア部８０を介してアイドルギア２８に伝達され、アイドルギア２８の回転が従動ギア部５８を介して回転移動筒２６に伝達される。
【００２７】
ここで、上記のようにアイドルギア２８を構成する一対のギア２８Ａ、２８Ｂは、捩りバネ６８によって互いに逆方向に回転するように付勢されている。このため、アイドルギア２８に噛み合わされた駆動ギア部８０と従動ギア部５８は、それぞれ噛合部においてアイドルギア２８を構成するギア２８Ａ、２８Ｂに歯面が押し付けられながら噛み合わされる。これにより、各噛合部のバックラッシが除去される。
【００２８】
なお、固定筒２２と直進移動筒２４との間にもバネ８２が介在され、このバネ８２によって回転移動筒２６と固定筒２２の螺合部のバックラッシが取り除かれる。このバネ８２は、固定筒２２の第２フランジ部３６と直進移動筒２４の外側フランジ部４６との間に配設され、伸張して直進移動筒２４を後方に押圧する。この結果、連結部６０を介して直進移動筒２４と連結された回転移動筒２６が後方に押圧され、回転移動筒２６と固定筒２２の螺合部、すなわち、固定筒２２の雄ネジ部３８と回転移動筒２６の雌ネジ部５６と間のバックラッシが除去される。
【００２９】
ＣＣＤ受け３２は、ＣＣＤ１８が取り付けられたＣＣＤホルダ８４を着脱可能に保持する。図３、図４は、このＣＣＤ受け３２の側面図と背面図である。同図に示すように、ＣＣＤ受け３２は、光軸Ｌに対して直交する取付基準面Ｆ0 を有している。取付基準面Ｆ0 の上端部には、一対のフック８６、８６が設けられており、下端部には、一対の押さえバネ８８、８８が設けられている。また、一対のフック８６、８６の間には、位置決めピン９０が、取付基準面Ｆ0 に対して垂直に立設されている。
【００３０】
一方、ＣＣＤホルダ８４は、ほぼ矩形の板状に形成されており、その前面に平坦な取付面Ｆを有している。また、その上縁部９２の中央には、位置決めピン９０が嵌合されるピン溝９４が形成されている。
【００３１】
ＣＣＤホルダ８４をＣＣＤ受け３２に取り付ける場合は、その取付面ＦをＣＣＤ受け３２の取付基準面Ｆ0 に当接させ、上端部９２に形成されたピン溝９４に位置決めピン９０を嵌合させるとともに、上縁部９２をフック８６、８６に形成された溝部９６、９６に嵌合させる。そして、下縁部に押さえバネ８８、８８を係合させて、ＣＣＤホルダ８４を上方に付勢する。
【００３２】
ここで、フック８６、８６に形成された溝部９６、９６は、図３に示すように、取付基準面Ｆ0 に対して所定角度（ここでは、３０°）傾斜した傾斜面Ｔ0 を有する断面直角三角形状に形成されている。一方、この溝部９６、９６に嵌合されるＣＣＤホルダ８４の上縁部９２は、溝部９６の傾斜面Ｔ0 と同じ傾斜角度（３０°）の傾斜面Ｔを有する楔状に形成されている。
【００３３】
この結果、ＣＣＤホルダ８４の上縁部９２をＣＣＤ受け３２の溝部９６、９６に嵌合して、押さえバネ８８、８８で上方に付勢すると、互いの傾斜面Ｔ0 、Ｔの作用でＣＣＤホルダ８４をＣＣＤ受け３２に押し付ける力が働き、ＣＣＤホルダ８４の取付面ＦがＣＣＤ受け３２の取付基準面Ｆ0 に密着する。これにより、ＣＣＤホルダ８４に取り付けられたＣＣＤ１８の受光面が光軸Ｌに対して直交して配置される。
【００３４】
また、ＣＣＤホルダ８４は、その上縁部９２が、ＣＣＤ受け３２の溝部９６、９６に嵌合して係止されることにより、垂直方向の位置決めがなされ、これにより、ＣＣＤ１８の高さ方向の中心が光軸Ｌと一致する。
【００３５】
また、ＣＣＤホルダ８４は、その上縁部９２に形成されたピン溝９４に位置決めピン９０が嵌合されることにより、水平方向の位置決めがなされ、これにより、ＣＣＤ１８の幅方向の中心が光軸Ｌと一致する。
【００３６】
このように、ＣＣＤホルダ８４の上縁部９２をＣＣＤ受け３２の溝部９６、９６に嵌合させ、下縁部を押さえバネ８８、８８で係止することにより、ＣＣＤホルダ８４がＣＣＤ受け３２に取り付けられ、そのＣＣＤホルダ８４に取り付けられたＣＣＤ１８が所定位置に位置決めされる。
【００３７】
なお、ＣＣＤ受け３２には、シャッターユニット９８が組み付けられており、このシャッターユニット９８によって、ＣＣＤ受け３２に取り付けられたＣＣＤ１８への光の入射が任意に遮光される。
【００３８】
図５は、シャッターユニット９８の構成を示す正面図であり、（ａ）がシャッター開状態、（ｂ）がシャッター閉状態を示している。同図に示すように、シャッターユニット９８は、２枚のシャッター羽１００Ａ、１００Ｂを上下動させることにより、シャッター基板１０２に形成された円形の開口部１０４を開閉させる。
【００３９】
２枚のシャッター羽１００Ａ、１００Ｂには、それぞれ縁部に沿ってガイド溝１０６Ａ、１０６Ｂが形成されており、各ガイド溝１０６Ａ、１０６Ｂには、それぞれシャッター基板１０２に立設されたガイドピン１０８Ａ、１０８Ｂが嵌合されている。
【００４０】
また、各シャッター羽１００Ａ、１００Ｂの下縁部には、それぞれ連結溝１１０Ａ、１１０Ｂが形成されており、各連結溝１１０Ａ、１１０Ｂには、揺動アーム１１２Ａ、１１２Ｂの先端部に立設された連結ピン１１４Ａ、１１４Ｂが嵌合されている。
【００４１】
揺動アーム１１２Ａ、１１２Ｂは、モータ１１６の回転軸１１８に取り付けられており、このモータ１１６を正逆回転させると、揺動アーム１１２Ａ、１１２Ｂが揺動する。そして、この揺動アーム１１２Ａ、１１２Ｂが揺動することにより、２枚のシャッター羽１００Ａ、１００Ｂが、ガイド溝１０６Ａ、１０６Ｂをガイドピン１０８Ａ、１０８Ｂにガイドされながら上下動し、開口部１０４を開閉させる。
【００４２】
また、直進移動筒２４には、バンドパスフィルタ１２０及びローパスフィルタ１２２が取り付けられ、所定波長の光のみが選択的に通される。
【００４３】
図６は、このバンドパスフィルタ１２０とローパスフィルタ１２２の取り付け構造を示す斜視図である。
【００４４】
同図に示すように、バンドパスフィルタ１２０は、バンドパスフィルタ保持枠１２４に保持され、ローパスフィルタ１２２は、ローパスフィルタ保持枠１２６に保持されて、直進移動筒２４の内周部に形成された内側フランジ部１２８に取り付けられる。
【００４５】
内側フランジ部１２８の端面には、同心円上に４つのボルト穴１３０Ａ、１３０Ｂ、１３０Ｃ、１３０Ｄが等間隔に形成されており、バンドパスフィルタ保持枠１２４には、同心円状に２つの貫通穴１３２Ｂ、１３２Ｄが等間隔に形成されている。また、ローパスフィルタ保持枠１２６には、同心円状に４つの貫通穴１３４Ａ、１３４Ｂ、１３４Ｃ、１３４Ｄが等間隔に形成されている。
【００４６】
バンドパスフィルタ１２０とローパスフィルタ１２２を取り付ける場合は、まず、ローパスフィルタ１２２を直進移動筒２４に嵌入し、そのローパスフィルタ保持枠１２６に形成された貫通穴１３４Ａ〜１３４Ｄの位置を直進移動筒２４の内側フランジ部１２８に形成されたボルト穴１３０Ａ〜１３０Ｄの位置に合わせる。そして、そのうちの２つの貫通穴１３４Ａ、１３４Ｃにボルト１３６Ａ、１３６Ｃを差し込み、ボルト穴１３０Ａ、１３０Ｃに螺合させる。これにより、ローパスフィルタ１２２が直進移動筒２４に取り付けられる。
【００４７】
次に、バンドパスフィルタ１２０を直進移動筒２４に嵌入し、そのバンドパスフィルタ保持枠１２４に形成された貫通穴１３２Ｂ、１３４Ｄの位置を直進移動筒２４の内側フランジ部１２８に形成されたボルト穴１３０Ｂ、１３０Ｄの位置に合わせる。そして、その貫通穴１３２Ｂ、１３２Ｄにボルト１３６Ｂ、１３６Ｄを差し込み、ボルト穴１３０Ｂ、１３０Ｄに螺合させる。これにより、バンドパスフィルタ１２０が直進移動筒２４に取り付けられる。
【００４８】
このようにバンドパスフィルタ１２０とローパスフィルタ１２２を取り付けることにより、メンテナンス時などにバンドパスフィルタ１２０を単独で取り外すことができるようになり、メンテナンス性が向上する。
【００４９】
なお、撮像装置１０は、レンズマウント１４より後段にある構成要素の内径が段階的に小さくなるように形成されている。たとえば、図１に示すように、カメラフレーム１２の開口部の内径Ｄ1 よりも固定筒２２の内径Ｄ2 の方が小さく形成され、固定筒２２の内径Ｄ2 よりも、直進移動筒２４の内径Ｄ3 の方が小さく形成される。このように、レンズマウント１４の開口部から段階的に内径を小さくしてゆくことにより、段部に塵等が付着した場合であっても、レンズマウント１４の開口部から容易に取り除くことができるようになり、メンテナンス性が向上する。
【００５０】
以上のように構成された本実施の形態の撮像装置１０の作用は、次のとおりである。
【００５１】
上記のように本実施の形態の撮像装置１０は、フランジバック調整機構２０を備えており、このフランジバック調整機構２０によってＣＣＤ１８を光軸Ｌに沿って前後移動させることにより、レンズ交換に伴うフランジバック長のズレを修正することができる。修正は、次のように行われる。
【００５２】
まず、カメラフレーム１２の正面に形成された貫通穴７６に六角レンチを挿入し、その六角レンチを調整軸３０の先端面に形成された六角穴７８に嵌め合わせる。そして、その六角レンチを回して、調整軸３０を回転させる。
【００５３】
調整軸３０が回転すると、その調整軸３０の回転が、駆動ギア部８０を介してアイドルギア２８に伝達され、そのアイドルギア２８の回転が、従動ギア部５８を介して回転移動筒２６に伝達される。
【００５４】
回転移動筒２６は、アイドルギア２８の回転が伝達されて回転されることにより、その先端内周部に形成された雌ネジ部５６と、固定筒２２の第２フランジ部３６に形成された雄ネジ部３８との作用で回転しながら光軸Ｌに沿って前後移動する。そして、この回転移動筒２６が光軸Ｌに沿って前後移動することにより、その回転移動筒２６の連結部６０に溝５０を介して連結された直進移動筒２４が光軸Ｌに沿って前後移動する。この結果、ＣＣＤ受け３２を介して直進移動筒２４に固定されたＣＣＤ１８が、光軸Ｌに沿って前後移動し、フランジバック長が修正される。
【００５５】
このように、本実施の形態の撮像装置１０によれば、カメラフレーム１２の正面に形成された貫通穴７６から調整軸３０を六角レンチで回転させるだけで簡単にフランジバック長の調整を行うことができる。
【００５６】
また、本実施の形態の撮像装置１０では、調整軸３０の回転を回転移動筒２６に伝達するアイドルギア２８を一対のギア２８Ａ、２８Ｂで構成し、その一対のギア２８Ａ、２８Ｂを捩りバネ６８によって互いに逆方向に付勢して、噛合部のバックラッシを除去しているので、ガタを生じさせることなく、高精度に調整軸３０の回転を回転移動筒２６に伝達させることができる。
【００５７】
また、固定筒２２と直進移動筒２４との間にバネ８２を介在させて、回転移動筒２６の雌ネジ部５６と固定筒２２の雄ネジ部３８とのバックラッシを除去しているので、ガタを生じさせることなく、高精度に直進移動筒２４を回転移動させることができる。
【００５８】
さらに、直進移動筒２４と回転移動筒２６とを連結する溝５０と連結部６０の間にバネ６４を介在させてガタを取り除いているので、回転移動筒２６の移動を直進移動筒２４に高精度に伝達することができる。
【００５９】
このように、本実施の形態の撮像装置１０では、連結部に生じるがガタを取り除いて構成しているので、高精度にＣＣＤ１８を光軸Ｌに沿って前後移動させることができ、高精度なフランジバック長の調整を行うことができる。
【００６０】
なお、上記の実施の形態では、フランジバック調整機構２０を構成する各構成要素の材質については言及していないが、熱膨張によってフランジバック長が変化するのを抑制するために、フランジバック調整機構２０を構成する各構成要素は、熱膨張が小さい材質、たとえば、ニッケル・鉄合金やチタン等を使用して形成することが好ましい。但し、必ずしも全ての構成要素に熱膨張が小さい材質を使用する必要はなく、例えば、固定筒２２、直進移動筒２４、ＣＣＤ受け３２にはニッケル・鉄合金、回転移動筒２６にはチタンを使用し、その他の構成要素に関しては格別に熱膨張が小さい材質でないものを使用しても、熱膨張によってフランジバック長が変化するのを十分に抑制することができる。
【００６１】
また、本実施の形態では、調整軸３０の回転をアイドルギア２８を介して回転移動筒２６に伝達するように構成しているが、調整軸３０の駆動ギア部８０を回転移動筒２６の従動ギア部５８に噛み合わせて、調整軸３０の回転を回転移動筒２６に直接伝達するように構成してもよい。
【００６２】
さらに、本実施の形態では、調整軸３０の先端に六角穴７８を形成することにより、六角レンチで調整軸３０を回転させるようにしているが、調整軸３０を回転させる手法は、これに限定されるものではない。たとえば、調整軸３０の先端にツマミ等を設け、手で回すようにしてもよい。あるいは、モータ等で回転させるようにしてもよい。
【００６３】
なお、ＣＣＤ受け３２に組み付けられたシャッターユニット９８は、ＣＣＤ１８のブラックレベル調整に用いられる。以下、このシャッターユニット９８を用いたＣＣＤ１８のブラックレベル調整の方法について説明する。
【００６４】
図７は、撮像装置１０の電気的構成を示すブロック図である。
【００６５】
通常の撮影において、シャッターユニット９８は、シャッター開状態とされており（図５（ａ）参照）、レンズ１６に入射した光は、シャッターユニット９８の開口部１０４を通ってＣＣＤ１８の受光面に入射する。そして、ＣＣＤ１８で電気信号に変換されたのち、複数の信号回路を介して信号処理部１５８からカメラ出力として外部に出力される。
【００６６】
ブラックレベル調整の実行指示は、図示しない操作部にて行われ、この操作部からブラックレベル調整の実行指示が出されると、ＣＰＵ１５０は、Ｉ／Ｏポート１５２を経由してシャッターユニット９８にシャッター閉を命じるコマンドを出力する。シャッターユニット９８は、このシャッター閉のコマンドを受けてモータ１１６を駆動し、シャッター羽１００Ａ、１００Ｂをスライドさせて、開口部１０４を閉じる（図５（ｂ）参照）。これにより、ＣＣＤ１８が遮光される。
【００６７】
この遮光状態で映像信号を検出系１５４で検出し、電気的に黒となるように、ＣＰＵ１５０から信号制御部１５６に制御信号を出力し、Ｒ、Ｇ、Ｂのレベル調整を実行する。レベル調整は、検出系１５４の検出結果がＯＫとなるまで続けられ、完了後、ＣＰＵ１５０からＩ／Ｏポート１５２を経由してシャッターユニット９８にシャッター開を命じるコマンドが出力される。シャッターユニット９８は、このシャッター開のコマンドを受けてモータ１１６を駆動し、シャッター羽１００Ａ、１００Ｂをスライドさせて、開口部１０４を開放する（図５（ａ）参照）。これにより、通常撮影の状態に復帰し、レンズ１６を通過した光がＣＣＤ１８に入射される。
【００６８】
このように、本実施の形態の撮像装置１０によれば、シャッターユニット９８を備えているので、レンズキャップなどを付けて遮光したりすることなく、簡単にブラックレベル調整を実行することができる。
【００６９】
なお、本例では、操作部からのブラックレベル調整の実行指示をトリガーとしてブラックレベル調整を実行しているが、ブラックレベル調整の実行方法は、これに限定されるものではない。
【００７０】
また、本実施の形態では、モータ１１６の駆動でシャッタを開閉させているが、手動で開閉させるようにしてもよい。
【００７１】
また、シャッターユニットの構成は、上記実施の形態のものに限定されるものではなく、他の構成のシャッターユニットを使用するようにしてもよい。
【図面の簡単な説明】
【００７２】
【図１】本発明に係る撮像装置の一実施形態を示す側面部分断面図
【図２】フランジバック調整機構の構成を示す側面断面図
【図３】ＣＣＤ受けの構成を示す側面図
【図４】ＣＣＤ受けの構成を示す背面図
【図５】シャッターユニットの構成を示す正面図
【図６】バンドパスフィルタとローパスフィルタの取り付け構造を示す斜視図
【図７】撮像装置の電気的構成を示すブロック図
【符号の説明】
【００７３】
１０…撮像装置、１２…カメラフレーム、１４…レンズマウント、１６…レンズ、１８…ＣＣＤ、２０…フランジバック調整機構、２２…固定筒、２４…直進移動筒、２６…回転移動筒、２８…アイドルギア、２８Ａ、２８Ｂ…ギア、３０…調整軸、３２…ＣＣＤ受け、３４…第１フランジ部、３６…第２フランジ部、３８…雄ネジ部、４０…先端嵌合部、４２…直進溝、４４…ガイドピン、４６…外側フランジ部、４８…押圧リング、５０…溝、５２…雌ネジ部、５４…雄ネジ部、５６…雌ネジ部、５８…従動ギア部、６０…連結部、６２…バネ収容溝、６４…バネ、６６…回転軸、６８…捩りバネ、６８Ａ、６８Ｂ…鉤部、７０Ａ、７０Ｂ…バネ収容溝、７２Ａ、７２Ｂ…係止穴、７４…ブッシュ、７６…貫通穴、７８…六角穴、８０…駆動ギア部、８２…バネ、８４…ＣＣＤホルダ、８６…フック、８８…押さえバネ、９０…位置決めピン、９２…上縁部、９４…ピン溝、９６…溝部、９８…シャッターユニット、１００Ａ、１００Ｂ…シャッター羽、１０２…シャッター基板、１０４…開口部、１０６Ａ、１０６Ｂ…ガイド溝、１０８Ａ、１０８Ｂ…ガイドピン、１１０Ａ、１１０Ｂ…連結溝、１１２Ａ、１１２Ｂ…揺動アーム、１１４Ａ、１１４Ｂ…連結ピン、１１６…モータ、１１８…回転軸、１２０…バンドパスフィルタ、１２２…ローパスフィルタ、１２４…バンドパスフィルタ保持枠、１２６…ローパスフィルタ保持枠、１２８…内側フランジ部、１３０Ａ、１３０Ｂ、１３０Ｃ、１３０Ｄ…ボルト穴、１３２Ｂ、１３２Ｄ…貫通穴、１３４Ａ、１３４Ｂ、１３４Ｃ、１３４Ｄ…貫通穴、１３６Ａ、１３６Ｂ、１３６Ｃ、１３６Ｄ…ボルト、１５０…ＣＰＵ、１５２…Ｉ／Ｏポート、１５４…検出系、１５６…信号制御部、１５８…信号処理部、Ｌ…光軸
【図１】
2005354220.tif 000003
【図２】
2005354220.tif 000004
【図３】
2005354220.tif 000005
【図４】
2005354220.tif 000006
【図５】
2005354220.tif 000007
【図６】
2005354220.tif 000008
【図７】
2005354220.tif 000009